(57)【要約】【課題】現金自動取引装置を用いて利用者の操作によりＩＣカードの更新処理を行い、利用者の利便性とセキュリティを確保する。【解決手段】利用者の生体情報を認証して利用者に現金の取引を許容する、例えばＡＴＭのような自動取引装置は、利用者に取引のための案内を表示する表示部と、利用者により入力操作が行なわれる入力部と、利用者により用いられる媒体、例えばＩＣカードのメモリに対して情報の読み書きを行う読み書き部を有する媒体取扱い機構と、利用者の生体情報を取得する生体情報取得部と、該生体情報取得部より取得された生体情報に対する認証の結果、正当な本人であると判定された場合、該生体情報取得部によって取得された利用者の新たな生体情報を媒体のメモリに記憶して該利用者に対する媒体の更新処理を行なう処理部を有する。【選択図】図１
2006338444.tif 000002
【特許請求の範囲】
【請求項１】
利用者の生体情報を認証して利用者に現金の取引を許容する自動取引装置において、利用者に取引のための案内を表示する表示部と、利用者により入力操作が行なわれる入力部と、利用者により用いられる媒体のメモリに対して情報の読み書きを行う読み書き部を有する媒体取扱い機構と、利用者の生体情報を取得する生体情報取得部と、該生体情報取得部より取得された生体情報に対する認証の結果、正当な本人であると判定された場合、該生体情報取得部によって取得された利用者の新たな生体情報を媒体のメモリに記憶して該利用者に対する媒体の更新処理を行なう処理部を有することを特徴とする自動取引装置。
【請求項２】
該読み書き部より、該媒体のメモリに記憶された有効期限に関する情報を取得し、該処理部は該有効期限から該媒体の残存期間を算出し、該残存期間が所定の期間以下になったと判断した場合、該表示部に関連する表示を行うことを特徴とする自動取引装置。
【請求項３】
該読み書き部より、該メモリに記憶された有効期限に関する情報を取得し、該処理部は該有効期限から該媒体の残存期間を算出し、該残存期間が所定の期間以下になった場合、該媒体の更新方法を該表示部に表示して、利用者に選択させるように構成したことを特徴とする請求項１又は２の自動取引装置。
【請求項４】
該媒体取扱い機構は、利用者が持参して挿入した新規のＩＣカードを受入れ、該読み書き部によって該新規のＩＣカードのメモリに新たな生体情報を書き込むことを特徴とする請求項１乃至３のいずれかの現金自動取引装置。
【請求項５】
更に、複数の新規のＩＣカードを保管するＩＣカード発行機構を備え、要求に応じて該ＩＣカード発行機構より１枚ずつ該ＩＣカードを繰り出して、該読み書き部を介して該ＩＣカードのメモリに新たな生体情報を記憶することを特徴とする請求項１乃至３のいずれかの現金自動取引装置。
【請求項６】
更に、利用者の顔を撮影するカメラを備え、生体情報を更新する場合、該カメラにて撮影された利用者の顔の画像データを新規なＩＣカードのメモリに記憶することを特徴とする請求項４又は５のいずれかの現金自動取引装置。
【請求項７】
生体情報を更新して新規に媒体を発行する場合、旧の媒体の処分方法を該表示部に表示して、該入力部を介して利用者に処分方法を選択させるように構成し、旧の媒体を装置内に回収する処分方法が選択された場合、該処理部は該読み書き部を介して、旧の媒体のメモリに格納された有効期限に関する情報を期限切れに書替えることを特徴とする請求項請求項１乃至６のいずれかの現金自動取引装置。
【請求項８】
媒体に備えられたメモリに記憶された利用者の生体情報（第１の生体情報）を用いて利用者本人を認証して、該利用者に現金の取引を許容する自動取引装置において、
利用者に取引のための案内を表示する表示部と、利用者により入力操作が行なわれる入力部と、該媒体のメモリに対する情報の読み書きを行う読み書き部を有する媒体取扱い機構と、利用者の生体情報を取得する生体情報取得部と、該生体情報取得部より取得された生体情報に対する認証の結果、正当な利用者であると判断された場合、該第１の生体情報と、該生体情報取得部によって取得された利用者の新たな生体情報（第２の生体情報）を新規の媒体のメモリに記憶して該利用者に対する媒体の更新処理を行なう処理部を有することを特徴とする自動取引装置。
【請求項９】
該生体情報取得部より取得された生体情報と、該媒体のメモリに記憶された生体情報とを照合する照合手段を該媒体内に有し、該照合手段による照合結果に応じて利用者の認証を行なうことを特徴とする請求項８の自動取引装置。
【請求項１０】
該媒体の更新処理後、利用者が媒体を用いて取引を行なう場合、該照合手段は、該生体情報取得手段から取得された生体情報と該媒体のメモリに格納された第１又は第２の生体情報のいずれかと照合し、照合の結果一致した場合、該処理部は該利用者に対する取引を許容することを特徴とする請求項９の自動取引装置。
【請求項１１】
該照合手段は、該第１の生体情報よりも該第２の生体情報から優先して照合することを特徴とする請求項８乃至１０のいずれかの自動取引装置。
【請求項１２】
該照合手段は、該第１及び第２の生体情報が該媒体のメモリに記憶された後に、該生体情報取得部から取得された第２の生体情報と該メモリに記憶された第１の生体情報と照合することを特徴とする請求項９乃至１１のいずれかの自動取引装置。
【請求項１３】
取引用媒体を利用する利用者の生体情報を認証して該利用者に現金の取引を許容する自動取引装置と、該自動取引装置に接続され、利用者の口座情報を含む元帳データを管理するデータベースを有するコンピュータを有する現金取引システムにおいて、
該媒体が有するメモリには、取引用の口座情報、媒体の更新に関する情報、及び利用者の生体情報を記憶し、
該自動取引装置は、利用者に取引のための案内を表示する表示部と、利用者により入力操作が行なわれる入力部と、該媒体のメモリに情報の読み書きを行う読み書き部を有する媒体取扱い機構と、利用者の生体情報を取得する生体情報取得部と、該生体情報取得部より取得された生体情報に対する認証の結果、正当な本人であると判定された場合、該生体情報取得部によって取得された利用者の新たな生体情報を媒体のメモリに記憶して該利用者に対する媒体の更新処理を行なう処理部を有し、
該ホストコンピュータは、利用者の該媒体が更新された場合、該利用者の口座情報に関連付けて媒体の更新に関する情報を登録すること、
を特徴とする自動取引システム。
【請求項１４】
生体情報の認証は、該媒体に備えられたＣＰＵの実行により、該生体情報取得部より取得された生体情報と、該媒体のメモリに記憶された生体情報とを照合することにより行なうことを特徴とする請求項１３の自動取引システム。
【請求項１５】
生体情報の認証は、該ホストコンピュータの処理により、該生体情報取得部より取得された生体情報と、該データベースに予め登録された該利用者の生体情報とを照合することにより行なうことを特徴とする請求項１３の自動取引システム。
【請求項１６】
利用者の個人情報に変更がある場合、利用者により該入力部から入力された変更後の個人情報を該媒体のメモリに記憶することで利用者の個人情報を更新することを特徴とする請求項１３乃至１５のいずれかの自動取引システム。
【請求項１７】
利用者がカード媒体を利用して自動取引装置を操作し、利用者の生体情報を認証して該利用者に現金の取引を許容する自動取引方法において、
取引に際して、生体情報検知器により利用者の生体情報を取得する生体情報取得ステップと、
該取得された該生体情報と、該媒体に備えられたメモリに格納された利用者の生体情報（第１の生体情報）とを照合するステップと、
該照合の結果、利用者が正当な利用者であると判断された場合、該第１の生体情報と、該生体情報検知器によって取得された利用者の新たな生体情報（第２の生体情報）を新規の媒体のメモリに記憶するステップと、
該新規の媒体を該利用者に対して排出するステップと、
を有することを特徴とする自動取引方法。
【請求項１８】
利用者が該新規の媒体を用いて取引を行なう場合、該生体情報検知器から取得された生体情報と該新規媒体のメモリに格納された第１又は第２の生体情報のいずれかと照合し、照合の結果一致した場合、該利用者に対する取引を許容することを特徴とする請求項１７の自動取引方法。
【発明の詳細な説明】
【技術分野】
【０００１】
本発明は自動取引装置に係り、特に利用者の生体情報を読取って本人認証してから取引を行う金融機関における現金自動取引装置及び取引システムにおける生体情報の更新処理に関するものである。
【背景技術】
【０００２】
最近、盗難カードや偽造カード等を使用して、現金支払機（ＣＤと言う）や現金自動入出金機等の現金自動取引装置(以下ＡＴＭという)で不正に現金の引出しを行う事件が頻発している。そのため、ＡＴＭによる現金の取引に対してもセキュリティの一層の向上が要求されている。その１つの対策として、携帯電話や金融機関が発行したカードのＩＣチップに、利用者の指紋等の生体情報を登録しておき、この生体情報を利用して本人の確認を行なうシステムが実用化され始めた。
通常、利用者が生体認証による取引を開始するには、まず金融機関にその旨を申し込むと、その後発行されたＩＣカードが自宅宛に郵送されて来るので、利用者は受領したＩＣカードを持参して金融機関等の営業店に出向く。そこで、係員の操作により生体情報読取装置で利用者本人の生体情報が読取られ、その生体情報は持参したＩＣカードに登録される。ＡＴＭでの取引に際しては、ＡＴＭに備えられた生体情報読取装置で利用者の生体情報を読取り、予めＩＣカードに登録された生体情報と照合することにより、両者が一致すれば正当な本人であると認証して取引が開始される。
【０００３】
ところで、携帯電話やＩＣカードの媒体（以下、携帯媒体という）には、例えば発行されてから５年間というような有効期限が設定されており、このため媒体の更新が必要となる。携帯媒体の更新方法としては、例えば特開平０７−１５２８３３号公報（特許文献１）には、有効期限が過ぎると、利用者にカードを更新するようにメッセージを出力することが開示されている。また、特開２００２−８６９６９号公報（特許文献２）には、携帯媒体に登録されている指紋と更新申請に来た人から読取った指紋とを照合して本人確認することが開示されている。更に、特開２００４−１１０３６５号公報（特許文献３）には、新旧の携帯媒体を接続しておき、登録されている指紋と更新する人から読取った指紋とを照合して本人確認できれば、旧から新にデータを転送して書込みすることが開示されている。
【０００４】
【特許文献１】特開平０７−１５２８３３号公報
【特許文献２】特開２００２−８６９６９号公報
【特許文献３】特開２００４−１１０３６５号公報
【発明の開示】
【発明が解決しようとする課題】
【０００５】
ＩＣカードの有効期限が近づくと、利用者は、ＩＣカードを更新するために金融機関の営業店に出向き、係員の操作により読取装置で生体情報を読取って、新規のＩＣカードに新たな生体情報を登録することが必要になる。このような更新手続きために利用者が指定の場所に出向くことは面倒であり、また金融機関側でも更新手続きのために一々対応するようでは、効率的とはいえない。
【０００６】
本発明の目的は、自動取引装置を用いて利用者の操作に従ってＩＣカードの更新処理を行うことで利用者の利便性を図り、またセキュリティを確保した自動取引装置及びシステム、その方法を提供することにある。
【課題を解決するための手段】
【０００７】
本発明に係る自動取引装置は、好ましくは、利用者の生体情報を認証して利用者に現金の取引を許容する自動取引装置において、利用者に取引のための案内を表示する表示部と、利用者により入力操作が行なわれる入力部と、利用者により用いられる媒体のメモリに対して情報の読み書きを行う読み書き部を有する媒体取扱い機構と、利用者の生体情報を取得する生体情報取得部と、該生体情報取得部より取得された生体情報に対する認証の結果、正当な本人であると判定された場合、該生体情報取得部によって取得された利用者の新たな生体情報を媒体のメモリに記憶して該利用者に対する媒体の更新処理を行なう処理部を有する自動取引装置として構成される。
好ましい例では、上記読み書き部より、媒体のメモリに記憶された有効期限に関する情報を取得し、処理部は有効期限から媒体の残存期間を算出し、残存期間が所定の期間以下になったと判断した場合、表示部に関連する表示を行う。
また、好ましくは、読み書き部より、メモリに記憶された有効期限に関する情報を取得し、処理部は有効期限から媒体の残存期間を算出し、残存期間が所定の期間以下になった場合、媒体の更新方法を表示部に表示して、利用者に選択させるように構成される。
また、一例では、媒体取扱い機構は、利用者が持参して挿入した新規のＩＣカードを受入れ、読み書き部によって新規のＩＣカードのメモリに新たな生体情報を書き込む。
また、好ましい例では、更に、複数の新規のＩＣカードを保管するＩＣカード発行機構を備え、要求に応じてＩＣカード発行機構より１枚ずつＩＣカードを繰り出して、読み書き部を介してＩＣカードのメモリに新たな生体情報を記憶する。
また、一例では、更に、利用者の顔を撮影するカメラを備え、生体情報を更新する場合、カメラにて撮影された利用者の顔の画像データを新規なＩＣカードのメモリに記憶する。
また、一例では、生体情報を更新して新規に媒体を発行する場合、旧の媒体の処分方法を表示部に表示して、入力部を介して利用者に処分方法を選択させるように構成し、旧の媒体を装置内に回収する処分方法が選択された場合、処理部は読み書き部を介して、旧の媒体のメモリに格納された有効期限に関する情報を期限切れに書替える。
【０００８】
また、本発明に係る自動取引装置は、次のようにも把握される。すなわち、媒体に備えられたメモリに記憶された利用者の生体情報（第１の生体情報）を用いて利用者本人を認証して、利用者に現金の取引を許容する自動取引装置において、利用者に取引のための案内を表示する表示部と、利用者により入力操作が行なわれる入力部と、媒体のメモリに対する情報の読み書きを行う読み書き部を有する媒体取扱い機構と、利用者の生体情報を取得する生体情報取得部と、生体情報取得部より取得された生体情報に対する認証の結果、正当な利用者であると判断された場合、第１の生体情報と、生体情報取得部によって取得された利用者の新たな生体情報（第２の生体情報）を新規の媒体のメモリに記憶して利用者に対する媒体の更新処理を行なう処理部を有する自動取引装置である。
好ましい例では、生体情報と媒体のメモリに記憶された生体情報とを照合する照合手段を媒体内に有し、照合手段による照合結果に応じて利用者の認証を行なう。
また、好ましくは、媒体の更新処理後、利用者が媒体を用いて取引を行なう場合、照合手段は、生体情報取得手段から取得された生体情報と媒体のメモリに格納された第１又は第２の生体情報のいずれかと照合し、照合の結果一致した場合、処理部は利用者に対する取引を許容する。
また、一例では、照合手段は、第１の生体情報よりも第２の生体情報から優先して照合する。
また、一例では、照合手段は、第１及び第２の生体情報が媒体のメモリに記憶された後に、生体情報取得部から取得された第２の生体情報とメモリに記憶された第１の生体情報と照合する。
【０００９】
本発明に係る取引システムは、取引用媒体を利用する利用者の生体情報を認証して利用者に現金の取引を許容する自動取引装置と、自動取引装置に接続され、利用者の口座情報を含む元帳データを管理するデータベースを有するコンピュータを有する現金取引システムにおいて、
媒体が有するメモリには、取引用の口座情報、媒体の更新に関する情報、及び利用者の生体情報を記憶し、
自動取引装置は、利用者に取引のための案内を表示する表示部と、利用者により入力操作が行なわれる入力部と、媒体のメモリに情報の読み書きを行う読み書き部を有する媒体取扱い機構と、利用者の生体情報を取得する生体情報取得部と、生体情報取得部より取得された生体情報に対する認証の結果、正当な本人であると判定された場合、生体情報取得部によって取得された利用者の新たな生体情報を媒体のメモリに記憶して利用者に対する媒体の更新処理を行なう処理部を有し、
ホストコンピュータは、利用者の媒体が更新された場合、利用者の口座情報に関連付けて媒体の更新に関する情報を登録する自動取引システムとして構成される。
好ましい例では、生体情報の認証は、媒体に備えられたＣＰＵの実行により、生体情報取得部より取得された生体情報と、媒体のメモリに記憶された生体情報とを照合することにより行なう。
また、一例では、生体情報の認証は、ホストコンピュータの処理により、生体情報取得部より取得された生体情報と、データベースに予め登録された利用者の生体情報とを照合することにより行なう。
また、一例では、利用者の個人情報に変更がある場合、利用者により入力部から入力された変更後の個人情報を媒体のメモリに記憶することで利用者の個人情報を更新する。
【００１０】
本発明に係る取引方法は、利用者がカード媒体を利用して自動取引装置を操作し、利用者の生体情報を認証して利用者に現金の取引を許容する自動取引方法において、取引に際して、生体情報検知器により利用者の生体情報を取得する生体情報取得ステップと、取得された生体情報と、媒体に備えられたメモリに格納された利用者の生体情報（第１の生体情報）とを照合するステップと、照合の結果、利用者が正当な利用者であると判断された場合、第１の生体情報と生体情報検知器によって取得された利用者の新たな生体情報（第２の生体情報）を新規の媒体のメモリに記憶するステップと、新規の媒体を利用者に対して排出するステップと、を有する自動取引方法である。
また、一例では、利用者が新規の媒体を用いて取引を行なう場合、生体情報検知器から取得された生体情報と新規媒体のメモリに格納された第１又は第２の生体情報のいずれかと照合し、照合の結果一致した場合、利用者に対する取引を許容する。
【発明の効果】
【００１１】
本発明によれば、自動取引装置を用いてＩＣカードの更新処理ができるので、利用者の利便性が向上し、またセキュリティを確保した自動取引装置を実現できる。
【発明を実施するための最良の形態】
【００１２】
以下、図面を参照して、本発明の実施形態について説明する。
図１は一実施形態によるＡＴＭの構成を示すブロック図である。
ＡＴＭ１０１は、生体情報として利用者の指静脈パターンを読み取る指静脈リーダ１０２と、利用者への取引案内を表示する、例えば液晶ディスプレイの如き表示部１０３と、利用者によって操作されて取引のための情報を入力する、例えばタッチパネルの如き入力部１０４と、挿入されたカードを処理するカード機構１０５と、入出金される紙幣を処理する紙幣入出金機構１０６と、入出金される硬貨を処理する硬貨入出金機構１０７と、明細票に取引の印字を施す明細票印字機構１０８と、通帳に印字処理を行う通帳印字機構１０９と、ＡＴＭ１０１の正面から利用者の顔画像を撮影するカメラ１１８と、これら各部の処理動作を制御する主制御部１１０を有して構成される。
【００１３】
主制御部１１０は、現在の時刻を計時する時計１１３１と、時計１１３１から計時信号を逐次受け、またプログラムの実行によって各部の処理を制御するＣＰＵ１１３と、ＣＰＵ１１３で実行されるプログラムや取引情報等を記憶する記憶部１１４と、ホストコンピュータ２０７やサーバとデータを送受信するための通信部１１５と、利用者との取引情報等を逐次記録する記憶装置１１６、及び電源１１７を備えて構成される。
【００１４】
カード機構１０５は、利用者が挿入したＩＣカード（図２参照）の磁気ストライプに対して読み書きする磁気Ｒ／Ｗ部１１１と、ＩＣチップの記憶部に対して情報の読み書きを行うＩＣＲ／Ｗ部１１２を有する。
【００１５】
図２に、本実施例で使用されるＩＣカード２０１の例を示す。
ＩＣカード２０１には、表面に磁気ストライプ２０２が設けられ、内部にメモリとマイクロプロセッサ（ＣＰＵ）を備えた接触式ＩＣチップ２０３が搭載される。接触式ＩＣカードはコンタクト部を介してＩＣＲ／Ｗ部１１２と情報の伝送を行なう。
尚、非接触式のＩＣカード２０１の場合には、アンテナを含む無線通信部２０４を備える。非接触式のＩＣカード２０１に更に非接触式ＩＣカードの機能も具備させて無線通信部２０４を搭載することも可能である。
【００１６】
図１におけるカード機構１０５の構成例を図１３に示す。
磁気Ｒ／Ｗ部１１１は磁気へッドを備え、カード機構１０５に挿入されたＩＣカード２０１の磁気ストライプ２０２の情報を読み取る。ＩＣＲ／Ｗ部１１２はコンタクト部を備え、ＩＣカード２０１のコンタクト部を介してＩＣチップ２０３の情報が読取り又はＩＣチップのメモリに情報を書き込む。尚、ＩＣカード２０１が非接触式カードの場合には、ＩＣＲ／Ｗ部１１２としてアンテナを含む無線通信部を有することになる。
【００１７】
本実施例において、カード機構１０５はＩＣカード発行機構１２０を備え、そこに複数枚の新規のＩＣカード２０１を保管しておく。主制御部１１０から新規カード発行の指示があると、挿入されたＩＣカード２０１（旧カード）を退避・回収路１２１に一旦送り込み、その後、ＩＣカード発行機構１２０から新規のＩＣカード２０１を搬走路に繰い出す。そして、ＩＣＲ／Ｗ部１１２でＩＣチップ２０３のメモリに情報が書込まれて、利用者に放出される。なお、利用者から廃棄の指示があったＩＣカード２０１は退避・回収路１２１を経由して、回収箱１２２に回収される。
【００１８】
図３は、ＡＴＭを含む現金取引システムの概要を示す。
利用者がＩＣカード２０１を用いてＡＴＭ１０１で取引きを行うと、利用者の認証及び取引きに係わる種々の情報はセンタのホストコンピュータ２０７に送信され、本人の認証が行われると共に、データベース（ＤＢ）２０６に格納された利用者の口座残高の情報が更新される。ＤＢ２０６に記憶される利用者口座元帳の登録データの形式については、図６を参照して後述する。
【００１９】
図４は、ＩＣチップ２０３に内蔵されるサービス機能を示す。
ＩＣチップ２０３のメモリには、カードを発行する金融機関がサポートするキャッシュカードやクレジットカード等の口座情報や、生体情報として利用者の指静脈パターンを記憶する。
【００２０】
図５はＩＣカード２０１のＩＣチップ２０３内のメモリに登録されるデータフォーマットの一例を示す。
ＩＣカードの登録データとして、利用者の口座情報や、新規登録及び更新年月日、期限情報、更新方法、及び生体情報を登録する生体情報が含まれる。期限情報として、有効期限及び予報開始時期を示す情報が含まれる。更新方法とは、ＩＣカードの更新の方法について示す情報であり、新規ＩＣカードへ更新をＡＴＭを用いて行なう場合、新規ＩＣカードを利用者へ郵送する場合、又は営業店に出向く場合、等を含む。利用者は、ＡＴＭの入力部からの操作によってこれらの内から１つの方法を選択できる。生体情報としては、新らたな生体情報（新Ｖｅｒ）及び旧の生体情報（旧Ｖｅｒ）が含まれる。
【００２１】
図６は、ホストコンピュータのＤＢ２０６に登録される口座元帳のフォーマットの例を示す。
口座元帳のデータとして、利用者の口座情報、新規登録及び更新年月日、期限情報、更新方法が含まれる。なお、図示していないが、通帳に記帳されていない取引情報（未記帳データ）や口座残高情報、及び暗証番号情報が更に含まれる。これらの情報は同じＤＢに格納されても良いし、或いは口座情報をキーとしてリンクが形成されて記憶される場合もある。
【００２２】
次に、図７を参照してＩＣカードの更新の仕組みについて説明する。
ＩＣカード２０１の有効期間は例えば５年間であり、その残存期限が例えば３ヶ月以下になると、ＩＣカード２０１の更新手続きを案内する予報期間となる。金融機関から利用者への新規ＩＣカード２０１の郵送開始は有効期限の１ヶ月前、有効期限を過ぎると、現在のカードは有効期限切れとなるので、新規ＩＣカード２０１への生体情報の登録を督促する警報期間となる。
【００２３】
次に、図８の取引処理フローチャートを参照して、ＡＴＭによる取引について説明する。
通常、利用者待ちの状況では、主制御部１１０は図１４に示す取引選択画面を表示部１０３に表示している。表示された選択画面から、例えば利用者は「引出し」キーを選択して入力部１０４を操作し（ステップ３０１）、カード機構１０５にＩＣカード２０１を挿入する。すると、磁気Ｒ／Ｗ部１１１で磁気ストライプ２０２の情報を読み取り、ＩＣＲ／Ｗ部１１２でＩＣカードのＩＣチップのメモリから登録情報（図５）を読取る（ステップ３０２）。ＩＣチップから取得された情報は、主制御部１１０内の記憶部１１４に一時格納される。次に、生体認証を行なうために、表示部１０３に案内画面を表示し又は音声で操作案内して、利用者の指を指静脈リーダ１０２にかざし、指の静脈パターンを読取る（ステップ３０３）。指静脈リーダ１０２で読取られた利用者の指静脈パターンは主制御部１１０画像処理されてＩＣＲ／Ｗ部１１２を経由して、ＩＣチップ２０３に送信される。
【００２４】
ＩＣカード２１０のＩＣチップ２０３のメモリ内には、図５に示すように、利用者の生体情報として、新Ｖｅｒの生体情報と旧Ｖｅｒの生体情報の２世代が記憶されている。尚、未だ更新されていないＩＣカードの場合には、旧Ｖｅｒの生体情報のみが記憶されている。
２世代の生体情報が登録されている場合、指静脈リーダ１０２で読取られた指静脈パターンはまず新Ｖｅｒの生体情報と照合される（ステップ３０４）。指静脈の生体情報の照合により、利用者が正当な本人かを認証する（ステップ３０５）。この照合処理は、ＩＣチップ２０３内のＣＰＵの実行により行なわれる。認証の結果（第１回目の認証：ステップ３０５）、利用者が正当な本人でないと判断されると、次に、旧Ｖｅｒの生体情報と照合される（ステップ３０６）。この照合（第２回目の認証）の結果、利用者が正当な本人かを確認し（ステップ３０７）、認証否（正当な本人でない）の場合には、利用者にＩＣカード２０１を返却して（ステップ３０８）、終了する。尚、旧Ｖｅｒの生体情報のみを保持しているＩＣカードの場合には、新Ｖｅｒ．の生体情報が無いので、即ステップ３０６による認証処理となる。
【００２５】
第１回目の認証（ステップ３０５）及び第２回目の認証（ステップ３０７）の結果、正当な本人と認証されれば、取引選択が「生体情報登録」かその他の取引かを確認する（ステップ３０９）。利用者により入力部１０４から「生体情報登録」が選択された場合には、図９の［Ａ］、又は図１１の［Ａ１］に移行する。
「生体情報登録」が選択されなければ、ＩＣチップ２０３のメモリから有効期限と予報開始の期限情報を読取る（ステップ３１０）。そして、現取引時点が予報期間に該当するか確認する（ステップ３１１）。予報期間に該当していれば、図９の［Ａ］、又は図１１の［Ａ１］に移行する。予報期間に該当していなければ、有効期限切れとなっていないかを確認する（ステップ３１２）。この確認の結果、有効期限切れならば、図１５の案内画面を表示部１０３に表示して、利用者の所持する現在のＩＣカード２０１は期限切れである旨を知らせる（ステップ３１３）。
【００２６】
次に、ＩＣカード２０１の更新方法を選択するための案内画面を表示部１０３に表示する。表示される更新方法とは、（１）現在使用しているＡＴＭでこのまま更新処理を継続する、（３）金融機関の営業店に出向いて更新手続きを行う、の２通りであり、これらが表示部１０３に表示されて、利用者により選択されることになる（ステップ３１４）。選択された後は、図９の［Ｆ］、又は図１１の［Ｆ１］に移行する。
有効期限の判定（ステップ３１２）で、ＩＣカード２０１が有効期間内ならば、通常の取引処理となり、入力部１０４から暗証番号を入力させ（ステップ３１５）、次に引出し金額を入力させる（ステップ３１６）。
【００２７】
一連の情報の入力が済むと、主制御部１１０の通信部１１５は、ＩＣチップ２０３から読み取った口座情報、入力された暗証番号、及び引出し金額をホストコンピュータ２０７に送信し、必要な情報を受信する（ステップ３１７）。ホストコンピュータ２０７では、受信した暗証番号と登録された暗証番号を照合して、利用者の認証を行なうと共に、利用者の口座残高を更新処理する。そして、その処理の結果をＡＴＭ１０１へ送信する。
【００２８】
ＡＴＭ１０１の主制御部１１０は、ホストコンピュータ２０７から受信した回答から取引許可か否かを判断する。取引許可の回答ならば、紙幣入出金機構１０６や硬貨入出金機構１０７を駆動して、利用者が入力部１０４から入力した金額の出金準備をする（ステップ３１８）。カード機構１０５はカード２０１を排出し、明細票印字機構１０８は明細票に取引情報を印字してそれを排出する（ステップ３１９）。紙幣入出金機構１０６や硬貨入金機構１０７は、それぞれの出金口から紙幣あるいは硬貨を放出する（ステップ３２０）。
以上の説明が、通常の現金引出しの取引きである。尚、他の取引、例えば振込みが選択された場合でも、上記の基本的な動作フローは同様であると理解してよい。
【００２９】
さて、図１４に示した取引選択画面で、利用者が「生体情報登録」を選択した場合や、ステップ３１１で現時点が予報期間に該当していれば、図９の［Ａ］、又は図１１の［Ａ１］に移行する。
【００３０】
図９はＩＣカード２０１の更新処理フローチャートを示す。
主制御部１１０は、記憶部１１４に格納されている、先に取得されたＩＣカードのＩＣチップの読取り情報（図５）から、更新方法を示す情報を取得する（ステップ４０１）。そして、過去の取引時に、ＩＣカード２０１の更新方法がＩＣチップに登録されているか確認する（ステップ４０２）。登録済ならば、図８の［Ｃ］ステップ３１５に移行する。更新方法が登録されていなければ、図１６の案内画面を表示部１０３に表示して、有効期限に対する残存期間を表示する（ステップ４０３）。
【００３１】
次に図１７の案内画面を表示して、ＩＣカード２０１の複数の更新方法を案内する。それらの更新方法として、（１）現在取引中のＡＴＭでこのまま更新処理を継続する、（２）新規のＩＣカード２０１を自宅宛に郵送してもらう、（３）金融機関の営業店に出向いて更新手続きを行う、（４）次回以降の取引時に更新手続きを行う、の４通りが表示され、この中から入力部１０４から利用者に選択してもらう（ステップ４０４）。（１）〜（３）が選択された場合は、選択結果をＩＣチップ２０３の更新方法のエリアに書込む（ステップ４０５）。次に、記憶部１１４に格納されたＩＣチップ２０３の口座情報から氏名、住所、電話番号等の個人情報を取得して、表示部１０３に表示する（ステップ４０６）。そして、適当な案内画面を表示して、個人情報に変更がないかを利用者に確認してもらう（ステップ４０７）。個人情報に変更が有れば、その部分を入力部１０４より入力させて、ＩＣチップ２０３の口座情報を書替える（ステップ４０８）。
尚、更新方法として、（２）、（３）の方法が選択された場合は、図１０の［Ｄ］ステップ５１８へ移行し、（４）が選択された場合は図８の［Ｃ］ステップ３１５へ移行する。
【００３２】
ＩＣカード２０１の更新方法として（１）が選択された場合、記憶部１１４に格納されたＩＣカードの登録情報から、口座情報、新規登録年月日、生体情報（新Ｖｅｒ）が抽出される（ステップ４０９）。次に、カード機構１０５に挿入され搬送されたＩＣカード２０１は一旦退避・回収路１２１（図１３）に搬送して、現在のＩＣカード２０１を一旦退避させる（ステップ４１０）。そして、利用者が新規のＩＣカード２０１を持参してきているかの案内画面を、表示部１０３に表示して、利用者の確認入力を得る（ステップ４１１）。新規のＩＣカードを持参してきていれば、新規ＩＣカード２０１を装置に挿入させる（ステップ４１２）。また、新規のＩＣカードを持参していなければ、ＩＣカード発行機構１２０を駆動して、そこに予め保管された新規のＩＣカード２０１を搬走路に繰出し搬送する（ステップ４１３）。そして、ＩＣＲ／Ｗ部１１２は、ステップ４０９で取得した口座情報、新規登録年月日、新Ｖｅｒの生体情報を、新規ＩＣカード２０１のＩＣチップ２０３のメモリに書込む（ステップ４１４）。この場合、新Ｖｅｒ生体情報は、ＩＣチップ２０３のメモリの旧Ｖｅｒエリアに記憶される。また、現在の年月日をＩＣチップの更新年月日エリアに書込み、更新日に基づく有効期限、予報開始日の期限情報を書込む（ステップ４１５）。
更に、指静脈リーダ１０２で読取られた利用者の指静脈パターンを、新規ＩＣカードのメモリの新Ｖｅｒ生体情報エリアに書込む（ステップ４１６）。そして、書込み内容が正常か、新規ＩＣカードのＩＣチップ２０３から口座情報、期限情報を読取って表示部１０３に表示し、その内容を利用者に確認させる（ステップ４１７）。登録内容の確認した旨が入力されると、図１０の［Ｂ］ステップ５０１に移行する。
【００３３】
次に、図１０のフローチャートを参照する。
図１０は生体情報の登録データの確認から、旧ＩＣカードを処分するまでの動作を示す。
利用者の指を指静脈リーダ１０２にかざし、指の静脈パターンを読取る（ステップ５０１）。指静脈リーダ１０２で読取られた利用者の指静脈パターンは、主制御部１１０内の記憶部１１４に一時記憶されると共にＩＣＲ／Ｗ部１１２を経由してＩＣチップ２０３に送信される。そして、ＩＣチップ２０３内のＣＰＵの実行により、メモリに予め登録されている指静脈の新Ｖｅｒ生体情報と照合される（ステップ５０２）。指静脈の生体情報の照合により、利用者が本人かを認証する（ステップ５０３）。照合の結果、利用者が正当な本人と認証できなければ、認証否（Ｎｏ）が１回目か確認する（ステップ５０４）。認証否が１回目ならば、読取られた利用者の指静脈の生体情報をＩＣカードのメモリの生体情報新Ｖｅｒエリアに書込んだ後（ステップ５０５）、ステップ５０１に戻る。認証否が２回目以上の時は、書き込み失敗と判断して、新規ＩＣカード２０１を回収する（ステップ５０６）。回収が１回目か確認し（ステップ５０７）、回収が２回目以上の場合は、主制御部１１０は新規ＩＣカードへの書き込み不備と判断して、利用者に営業店でのＩＣカード２０１の更新手続き行なう旨の案内を表示部１０３に表示した上で、図８の［Ｃ］ステップ３１５に移行する（ステップ５０８）。ステップ５０７で回収が１回目の場合は、新規ＩＣカード２０１を繰出して、図９の［Ｅ］ステップ４１４に移行する（ステップ５０９）。
【００３４】
さて、ステップ５０３で新Ｖｅｒ生体情報との照合の結果、認証可（Ｙｅｓ）であれば、次に旧Ｖｅｒの生体情報と照合する（ステップ５１０）。これは念のための確認であり、旧Ｖｅｒの生体情報との照合結果は、主制御部１１０内の記憶装置１１６にログとして記憶するのみで、以後の処理には影響しない。上記照合による認証（ステップ５０３）で、利用者が正当な本人であると確認できると、主制御部１１０はＩＣカード２０１の更新処理の記録として、利用者の顔を撮影する旨の案内を表示部１０３に表示する（ステップ５１１）。利用者に撮影可（ＯＫ）を確認して、その旨を入力部１０４より入力させる（ステップ５１２）。撮影ＯＫならばカメラ１１８で利用者の顔を撮影して、撮影された顔画像のデータを主制御部１１０の記憶装置１１６に記憶する（ステップ５１３）。
【００３５】
次に、旧となったＩＣカード２０１の処分の処理に移る。処分方法として、（１）ＩＣカードを無効処理した上で、ＡＴＭで回収、廃棄する、（２）利用者に返却して廃棄する、の２つの方法を表示部１０３に表示し、入力部１０４からいずれかの方法を選択させる（ステップ５１４）。（２）を選択すると、カード機構１０５を駆動して、一時退避されていた旧ＩＣカード２０１を利用者に返却する（ステップ５１５）。
【００３６】
一方、利用者が（１）を選択すると、主制御部１１０はＩＣＲ／Ｗ部１１２を介して旧ＩＣカード２０１のメモリ内の生体情報の登録データを削除し、かつ有効期限を期限切れに書替えて、ＩＣチップを無効とする処理を行なう（ステップ５１６）。そして、旧ＩＣカードは退避・回収路１２１を経由して、回収箱１２２に回収される（ステップ５１７）。
【００３７】
また、ホストコンピュータの利用者口座元帳の登録データを更新するため、新規ＩＣカード２０１に書き込まれた個人情報、更新年月日、期限情報、更新方法を更新情報としてホストコンピュータに送信する。ホストコンピュータでは、図６に示す利用者口座元帳の登録データから、個人情報、更新年月日、期限情報、更新方法を書き替えて更新する（ステップ５１８）。そして、当初選択された取引（図８のステップ３０１で選択された）が、生体情報の登録かを確認し、生体情報の登録のみの取引の場合は終了し、そうでなければ図８の［Ｃ］ステップ３１５に移行する（ステップ５１９）。
【００３８】
次に、図１１及び図１２を参照して、他の実施形態について説明する。
図９、図１０に示した処理は、旧ＩＣカード２０１から読取った旧の生体情報及びその他の情報を新規ＩＣカード２０１へ移行する例であった。これに対して、図１１、図１２に示す実施例は、ホストコンピュータの利用者口座元帳の登録データを格納するＤＢ２０６を利用する例である。以下、図１１を参照する。尚、場合よっては、図８等を参照することがある。
【００３９】
さて、図８のステップ３０９における取引選択で、生体情報の登録が選択されたり、ステップ３１１で予報期間であった場合［Ａ１］、ＩＣチップ２０３から更新方法を読取る（ステップ６０１）。そして過去の取引時に、ＩＣカード２０１の更新方法を登録されているかを確認する（ステップ６０２）。登録済ならば、図８の［Ｃ］ステップ３１５に移行する。更新方法が登録されていなければ、有効期限に対する残存期間を表示部１０３に表示して、ＩＣカード２０１の更新手続きを案内する（ステップ６０３）。
【００４０】
ＩＣカードの更新方法として、（１）現在、操作中のＡＴＭで、このまま更新処理を継続する、（２）新規のＩＣカード２０１を自宅宛に郵送してもらう、（３）金融機関の営業店に出向いて更新手続きを行う、（４）次回以降の取引時に更新手続きを行う、の４通りを表示し、利用者に入力部１０４からいずれかを選択してもらう（ステップ６０４）。次に、ＩＣチップ２０３の口座情報から氏名、住所、電話番号等の個人情報を読取って表示部１０３に表示し（ステップ６０５）、個人情報に変更がないか、利用者に確認させる（ステップ６０６）。
【００４１】
個人情報に変更があれば、変更の情報を入力部１０４から入力させる（ステップ６０７）。入力された変更後の個人情報は、主制御部１１０からＩＣＲ／Ｗ部１１２を介して、ＩＣカードのＩＣチップ２０３の該当する個人情報のエリアを書替えられる。（１）〜（３）が選択された場合は、個人情報や更新方法の情報はホストコンピュータに送信される（ステップ６０８）。ホストコンピュータでは、ＤＢ２０６の利用者元帳の登録データを更新した上で、（１）を選択した場合は、口座情報、新規登録年月日、更新年月日、期限情報をＡＴＭ１０１に返信する。
ＡＴＭではホストコンピュータからの回答を受信する（ステップ６０９）。そして、現在使用しているＩＣカードのＩＣチップ２０３から新Ｖｅｒの生体情報を読取る（ステップ６１０）。
次に、ＩＣＲ／Ｗ部１１２の直下に現在のＩＣカード２０１を退避路１２１に一旦退避させる（ステップ６１１）。そして、利用者に新規のＩＣカード２０１を持参してきているかを表示部１０３に表示して確認する（ステップ６１２）。利用者が持参して来ていれば、新規ＩＣカード２０１をカード機構１０５に挿入させ（ステップ６１３）、持参していなければ、ＩＣカード発行機構１２０から新規ＩＣカード２０１を繰出す（ステップ６１４）。
カード機構１０５の搬送路に挿入又は繰り出された新規のＩＣカードに対して、ステップ６０９で受信した口座情報、新規登録年月日、更新年月日、期限情報等の情報を、新規ＩＣチップ２０３のメモリの口座情報、新規登録年月日、更新年月日、期限情報のエリアに書込む（ステップ６１５）。また、現在まで使用して来たＩＣカードのＩＣチップ２０３から読取った新Ｖｅｒ生体情報を、新規ＩＣカードの旧Ｖｅｒ生体情報のエリアに書込む（ステップ６１６）。次に、指静脈リーダ１０２で読取られた利用者の指静脈パターンの生体情報を新規ＩＣカードのメモリの新Ｖｅｒ生体情報のエリアに書込む（ステップ６１７）。そして、新規ＩＣカードへの書込み内容が正常かを確認するために、ＩＣＲ／Ｗ部１１２を介して新規ＩＣカードのＩＣチップ２０３から口座情報及び期限情報を読取って、表示部１０３に表示し、この表示内容が正しいかを利用者に確認してもらう（ステップ６１８）。正しくない場合には入力部１０４よりその旨の入力をさせ、この場合には例えば再度登録をやり直す。一方、登録内容が正しい場合にはその旨が入力されるので、登録内容の確認動作を終了し、図１３の［Ｂ１］に移行する。
【００４２】
図１２は、他の実施形態における生体情報の登録データ確認から旧ＩＣカードの処分に至る処理フローチャートである。第１の実施例の図１０に対する代替である。
利用者の指を指静脈リーダ１０２にかざし、指の静脈パターンを読取る（ステップ７０１）。指静脈リーダ１０２で読取られた利用者の指静脈パターンは、主制御部１１０内の記憶部１１４に一時記憶されると共にＩＣＲ／Ｗ部１１２を経由してＩＣチップ２０３に送信され、ＣＰＵの実行によってＩＣチップ２０３のメモリ内に予め登録されている指静脈の新Ｖｅｒ生体情報と照合される（ステップ７０２）。指静脈パターンの照合により、利用者本人かを認証する（ステップ７０３）。認証の結果、利用者本人と認証されなければ、認証否（Ｎｏ）が１回目か確認する（ステップ７０４）。認証否が１回目ならば、読取られた利用者の指静脈の生体情報をＩＣカードのメモリの生体情報新Ｖｅｒエリアに書込んだ後（ステップ７０５）、ステップ７０１に戻る。そして、認証否が２回目以上の場合は、書き込み失敗と判断して新規ＩＣカード２０１を回収する（ステップ７０６）。回収が１回目か確認し（ステップ７０７）、回収が２回目以上の場合は、利用者に営業店でのＩＣカード２０１の更新手続きを案内した上で、図８の［Ｃ］ステップ３１５に移行する（ステップ７０８）。ステップ７０７で、回収が１回目の場合は、新規ＩＣカード２０１を繰出して、図１１の［Ｇ］ステップ６１５］に移行する（ステップ７０９）。
【００４３】
ステップ７０３で新Ｖｅｒの生体情報と照合の結果、認証可であれば、念のために旧Ｖｅｒの生体情報とも照合する（ステップ７１０）。以上で、利用者が正当な本人であると確認できると、主制御部１１０はＩＣカード２０１の更新処理の記録として、利用者の顔を撮影する旨の案内を表示部１０３に表示する（ステップ７１１）。利用者に撮影可（ＯＫ）を確認して（ステップ７１２）、撮影ＯＫならばカメラ１１８による利用者の顔を撮影して、その顔画像データを主制御部１１０の記憶装置１１６に記憶する（ステップ７１３）。
【００４４】
次に、旧ＩＣカード２０１の処分方法として、（１）カードを無効処理した上でＡＴＭにて回収廃棄、（２）利用者に返却して廃棄する、の２つの方法を表示部１０３に表示し、いずれかを利用者に選択してもらう（ステップ７１４）。（２）を選択すると、旧ＩＣカード２０１を利用者に返却する（ステップ７１５）。（１）を選択すると、旧ＩＣカード２０１の有効期限を期限切れに書替える等の無効処理した上で（ステップ７１６）、ＡＴＭ内の回収部に回収する（ステップ７１７）。そして、図８のステップ３０１で選択された取引は、生体情報登録のみかを確認し、生体情報登録のみの場合は一連の処理を終了し、そうでなければ図８の［Ｃ］ステップ３１５に移行する（ステップ７１８）。
【００４５】
以上、本実施形態において、生体情報として指静脈の認証を利用する例について説明したが、他の例として手静脈認証、指紋認証、虹彩認証、顔認証、署名等による生体認証の利用も考えられる。
【００４６】
また、上記実施形態では、ＩＣカード内のＣＰＵの実行によって、ＩＣチップ内のメモリに予め登録されている生体情報と、ＡＴＭの例えば指静脈リーダ（生体検知器）で読まれた生体情報と照合することで、認証を行っている。しかし、変形例によれば、この照合は、ＡＴＭの主制御部１１０内のＣＰＵ１１３によって実行することもできる。この場合、ＩＣカードのメモリに予め記憶されている生体情報を取得し、ＣＰＵ１１３の実行の下、このＩＣカードの生体情報とＡＴＭの生体検知器で検知された生体情報とを照合することになる。
【００４７】
また、他の例として、利用者の生体情報とホストコンピュータのＤＢ２０６に、利用者の暗証番号と関連付けて記憶する例では、上記の照合動作をホストコンピュータで実行することもできる。この場合、ホストコンピュータは、ＤＢ２０６に予め記憶された利用者の生体情報と、ＡＴＭの生体検知器で検知された生体情報とを照合することになる。また、この場合、生体情報の更新とは、ＤＢ２０６内の生体情報を更新する処理となる。
【００４８】
また、上記実施形態では、ＩＣカードの更新処理として新規ＩＣカードに置き換えることを前提としてが、新規ＩＣカードに置き換えない場合には、生体情報の更新処理となり、新らたに取得した生体情報を現在まで使用していたＩＣカード（図５）の新Ｖｅｒエリアに記憶し、今まで新Ｖｅｒエリアに記憶されていた生体情報を同じカードの旧Ｖｅｒエリアに記憶し直す処理となる。
【００４９】
以上のように、本実施形態によれば、金融機関の営業店等に出向くことなく、ＡＴＭでの現金取引のついでに、利用者本人の操作に従って自分のＩＣカードの更新処理を行なうことができ、利用者の利便性とセキュリティが確保できる。また、ＩＣカードに登録する利用者の生体情報を、新データと旧データの２世代の生体情報とすることにより、生体情報の認証に際して新データと旧データのいずれも使用することができる。このため、読取り部から得られた生体情報との照合の結果、新旧いずれかの生体情報が一致すればよく、照合率が向上する。
また、新規ＩＣカードの発行機構を備えたＡＴＭやＣＤによれば、金融機関の係員は、装置内に新規のＩＣカードをセットするのみで済む。このため、従来のように新規のＩＣカードに利用者毎の情報を記録して郵送したり、営業店に出向いた利用者の生体情報を機械で読取ってＩＣカードに登録するための処理や操作を行なう係員が不要となり、経費節減が図れる。
【図面の簡単な説明】
【００５０】
【図１】本実施形態によるＡＴＭの構成を示すブロック図、
【図２】ＩＣカードの外観図、
【図３】ＡＴＭを含む現金取引システムの概要を示す図、
【図４】ＩＣカードに備えられサービス機能の例を示す図、
【図５】ＩＣカードのメモリに登録されるデータのフォーマットの例を示す図、
【図６】ホストコンピュータのＤＢ２０６に登録される口座元帳のフォーマットの例を示す図、
【図７】ＩＣカードの更新の仕組みを示す図、
【図８】本実施形態における取引処理のためのフローチャートを示す図、
【図９】本実施形態におけるＩＣカードの更新処理のフローチャートを示す図、
【図１０】本実施形態におけるＩＣカードの更新処理のフローチャートを示す図、
【図１１】他の実施形態によるＩＣカードの更新処理のフローチャートを示す図、
【図１２】他の実施形態による新ＩＣカードへの登録確認から旧ＩＣカードの処分に至る処理フローチャートを示す図、
【図１３】本実施形態におけるカード機構１０５の構成例を示す側面図、
【図１４】本実施形態におけるＡＴＭの取引選択画面の例を示す図、
【図１５】本実施形態におけるＡＴＭの取引案内画面の例を示す図、
【図１６】本実施形態におけるＡＴＭの取引案内画面の例を示す図、
【図１７】本実施形態におけるＡＴＭの取引案内画面の例を示す図、
【符号の説明】
【００５１】
１０１：ＡＴＭ          １０２：指静脈リーダ      １０３：表示部
１０４：入力部          １０５：カード機構        １０６：紙幣入出金機構
１０７：硬貨入出金機構  １０８：明細票印字機構    １０９：通帳印字機構
１１０：主制御部        １１１：磁気Ｒ／Ｗ部
１１２：ＩＣＲ／Ｗ部    １１３：ＣＰＵ            １１４：記憶部
１１６：記憶装置        １１８：カメラ          ２０１：カード
２０２：磁気ストライプ  ２０３：ＩＣチップ      ２０６：データベース
２０７：ホストコンピュータ
【図１】
2006338444.tif 000003
【図２】
2006338444.tif 000004
【図３】
2006338444.tif 000005
【図４】
2006338444.tif 000006
【図５】
2006338444.tif 000007
【図６】
2006338444.tif 000008
【図７】
2006338444.tif 000009
【図８】
2006338444.tif 000010
【図９】
2006338444.tif 000011
【図１０】
2006338444.tif 000012
【図１１】
2006338444.tif 000013
【図１２】
2006338444.tif 000014
【図１３】
2006338444.tif 000015
【図１４】
2006338444.tif 000016
【図１５】
2006338444.tif 000017
【図１６】
2006338444.tif 000018
【図１７】
2006338444.tif 000019